(57)【要約】      （修正有）【課題】シャッター使用の安全性を向上できるシャッターの圧迫防止装置を提供する。【解決手段】巻き上げ装置１と、第１磁気制御具２と、を備える。巻き上げ装置１は複数のスレット１１１と、スレットに枢接する連稈組１２とを含む、隣接する２つのスレット１１１の間に隙間を有し、２つのスレット１１１の隙間は下降のときよりも、巻き上げるときの方が大きい。第１磁気制御具２は、磁気素子２１と、磁気制御スイッチを有し、かつ磁気素子２１と磁気制御スイッチをそれぞれ扉体１１に備える隣接する２つのスレット１１１に設けることによって、扉体１１の複数のスレットが下降状態のとき、磁気素子２１と磁気制御スイッチが互いに寄せ付けて誘導を形成し、磁気制御スイッチから圧迫防止信号を発信すると同時に、巻き上げ装置１の作動を停止する。これにより、圧迫防止機能の目的を達成し、なおかつ組立及び保守が便利である。【選択図】図１
0003191919.tif 000002
【実用新案登録請求の範囲】
【請求項１】
シャッターの圧迫防止装置であって、
扉体を有し、前記扉体に複数のスレットを並列して設けられ、隣接する前記２つのスレットの間に隙間を有し、前記扉体が巻き上げ状態の隙間は、前記扉体が広げて下ろし状態の隙間より大きい巻き上げ装置と、
磁気素子と磁気制御スイッチを設けていて、かつ前記磁気素子と前記磁気制御スイッチをそれぞれ前記扉体に備える隣接する前記２つのスレットに設けることによって、前記扉体の前記複数のスレットを下ろすときに前記磁気素子と前記磁気制御スイッチが互いに寄せつけて誘導を形成し、前記磁気制御スイッチから圧迫防止信号を発信すると同時に、前記巻き上げ装置の作動を停止させる。第１磁気制御具と、を備えることを特徴とする、シャッターの圧迫防止装置。
【請求項２】
前記第１磁気制御具の前記磁気素子を前記スレットに嵌設することを特徴とする、請求項１記載のシャッターの圧迫防止装置。
【請求項３】
前記第１磁気制御具と第２磁気制御具と電気接続し、前記第２磁気制御具に前記磁気素子と、前記磁気制御スイッチとを設け、前記第１磁気制御具と前記第２磁気制御具をそれぞれ前記巻き上げ装置に備える前記スレットの両側に設けることを特徴とする、請求項１記載のシャッターの圧迫防止装置。
【考案の詳細な説明】
【技術分野】
【０００１】
本考案は、シャッターの圧迫防止装置に関し、特に電動式ドアシャッターと窓シャッターに適用でき、特に圧迫防止機能及び組立の便利性を向上できるシャッターの圧迫防止装置に関する。
【背景技術】
【０００２】
従来の電動式シャッター（ドアシャッターまたは窓シャッターなど）を広げて下限位置に下降するときに、人または物品に圧迫して、けがなどの事故を避けるため、シャッター底部の末端に公知のスレットにセンサを取り付けて、従来のシャッターが広げて下ろす経路に異物の存在を検出し、事故の発生を避ける方法が講じられている。
【考案の概要】
【考案が解決しようとする課題】
【０００３】
この種の方法は敏感度が低いほか、その構造も極めて複雑であり、さらに有線方式で行わなければならず、ケーブルなどの干渉を引き起し、取付け及び保守が不便である。
【課題を解決するための手段】
【０００４】
よって、本考案の目的は、シャッターに圧迫防止機能を提供することによって、シャッター使用の安全性を向上できると共に、圧迫防止機能の検出敏感度を向上できる、シャッターの圧迫防止装置を提供する。
【０００５】
前述目的を達成するため、本考案のシャッターの圧迫防止装置は巻き上げ装置と、第１磁気制御具と、を備える。巻き上げ装置は、扉体を有しており、扉体に複数のスレットを並列して設けられ、隣接する２つのスレットの間に隙間を有し、扉体の巻き上げ状態の隙間は扉体の下降状態の隙間より大きい。第１磁気制御具に磁気素子と磁気制御スイッチを設けていて、かつ磁気素子と磁気制御スイッチをそれぞれ扉体に備える隣接する２つのスレットに設けることによって、扉体の複数のスレットを下ろすときに磁気素子と磁気制御スイッチが互いに寄せつけて誘導を形成し、磁気制御スイッチから圧迫防止信号を発信すると同時に、巻き上げ装置の作動を停止させる。
【図面の簡単な説明】
【０００６】
【図１】本考案の立体図である。
【図２】本考案の側面を示す図である。
【図３】本考案の使用態様を示す図である。
【図４】第１磁気制御具を巻き上げ装置の中央部に取り付ける態様図である。
【図５】第１磁気制御具と、第２磁気制御具を巻き上げ装置の両側に取り付ける態様図である。
【考案を実施するための形態】
【０００７】
以下、添付図面を参照して本考案の実施の形態を詳細に説明する。
【実施例】
【０００８】
図１ないし４、本考案の実施例図を参照する。本考案のシャッターの圧迫防止装置は、巻き上げ装置１と、第１磁気制御具２と、制御装置３と、を備える。
【０００９】
そのうち、巻き上げ装置１は扉体１１と、連稈組１２と、縦フレーム１３と、を含む。扉体１１は複数のスレット１１１を有し、複数のスレット１１１は連稈組１２を設けられた複数の連稈１２１に設けられ、それぞれのスレット１１１を並列し連結することによって、隣接する２つのスレット１１１の間に隙間を残して置き、連稈組１２を縦フレーム１３に枢接する。
【００１０】
第１磁気制御具２は磁気素子２１と、ケーシング２２とを含む。ケーシング２２の内部に磁気制御スイッチ２２１と、磁気制御スイッチ２２１と電気接続する無線発信機２２２を設けられている。磁気素子２１を巻き上げ装置１のいずれかのスレット１１１に嵌設し、ケーシング２２の磁気制御スイッチ２２１と無線発信機２２２を前述隣接するスレット１１１のもう一つのスレット１１１に取り付けることによって、隣接する２つのスレット１１１に設けられた磁気素子２１とケーシング２２を相対に位置を合わせる。
【００１１】
制御装置３を巻き上げ装置１に設け、無線発信機（図示しない）を有し、第１磁気制御具２の無線発信機２２２より発信する信号を受信し、制御装置３によって巻き上げ装置１の扉体１１を制御し、連稈組１２によって連動し縦フレーム１３に沿って、巻き上げ及び広げて下ろす。
【００１２】
引き続き、図２ないし４を参照する。図に示すように、本考案の好ましい実施例において、使用するときに、制御装置３によって巻き上げ装置１を制御し複数のスレット１１１を広げて下ろす。巻き上げ装置１の扉体１１の下方に異物５があるときは、巻き上げ装置１下方のスレット１１１と異物５が互いに押し合って、巻き上げ装置１の隣接する２つのスレット１１１が互いに寄せつけて、隣接する２つのスレット１１１間の隙間を縮めることによって、扉体１１を巻き上げ状態の２つのスレット１１１の隙間が扉体１１を下ろしたときの２つのスレット１１１の隙間より大きくなる。第１磁気制御具２の磁気制御スイッチ２２１が隣接するスレット１１１に取り付けた磁気素子２１の距離の接近を検出すると、第１磁気制御具２の無線発信機２２２から制御装置３の無線受信機に信号を発信し、制御装置３によって、巻き上げ装置１の複数のスレット１１１の広げ下ろしを停止させ、異物５及び巻き上げ装置１の複数のスレット１１１が互いに押し合うことを避ける。これによって、圧迫防止機能を実現し使用の安全性を維持できる。
【００１３】
引き続き、図３ないし５を参照する。図４、第１磁気制御具２を巻き上げ装置１のスレット１１１の中央場所に取り付ける態様を示す。引き続き図５、第１磁気制御具２と第２磁気制御具４と電気接続する態様を示す。磁気制御具４は磁気素子４１と、磁気制御スイッチ４２とを設け、第１磁気制御具２と磁気制御具４をそれぞれ巻き上げ装置１のスレット１１１の両側に設け、なおかつ第２磁気制御具４の磁気制御スイッチ４２と第１磁気制御具２の無線発信機２２２と電気接続されている。よって、巻き上げ装置１下方のスレット１１１が抵抗を受けて上方に移動するとき、異物５が巻き上げ装置１のいずれかの位置に居ても、第１磁気制御具２と第２磁気制御具４によって、スレット１１１の移動を精確に検出し、信号を制御装置３に発信し、巻き上げ装置１に備える複数のスレット１１１の巻き上げまたは広げ下ろし、敏感度の向上効果を達成する。
【００１４】
よって、本考案の主な技術は、スレット１１１が異物５の押し合いによって、隣接する２つのスレット１１１間の隙間が変化を引き起させ、磁気素子２１と磁気制御スイッチ２２１をそれぞれ扉体１１の隣接する２つのスレット１１１に取り付けて置き、磁気誘導を発生する。扉体１１に備える複数のスレット１１１が下ろすときに、磁気素子２１と、磁気制御スイッチ２２１と互いに寄りつけて誘導を形成し、磁気制御スイッチ２２１を作動させ、圧迫防止信号を発信し、巻き上げ装置１による広げて下ろしを停止させ、異物５が巻き上げ装置１による押し合いを防止し、本考案の圧迫防止機能を達成する。さらに、本考案によれば、磁気誘導方式は敏感度が向上されると共に、壊れにくい長所を有する。さらに、磁気制御スイッチ２２１をケーシング２２に取り付けてからスレット１１１に取り付ける方式により、スレット１１１を取り外すことはなく、なおかつ干渉の問題を発生しない。組立の便利性を大幅に向上できるほか、保守が簡単である。
【符号の説明】
【００１５】
１       巻き上げ装置
１１     扉体
１１１   スレット
１２     連稈組
１２１   連稈
１３     縦フレーム
２       第１磁気制御具
２１     磁気素子
２２     ケーシング
２２１   磁気制御スイッチ
２２２   無線発信機
３       制御装置
４       第２磁気制御具
４１     磁気素子
４２     磁気制御スイッチ
５       異物
【図１】
0003191919.tif 000003
【図２】
0003191919.tif 000004
【図３】
0003191919.tif 000005
【図４】
0003191919.tif 000006
【図５】
0003191919.tif 000007